(57)【要約】      （修正有）【課題】節度機構が端部係止孔において適度な位置保持力を維持しつつ、スライド板が両端の位置から中間位置へ復帰作動する際、アクションボールが端部係止孔を乗り越えるにあたってスライダにかかる作動荷重は滑らかになり、この結果、中間位置で止まりやすいとともに柔らかなタッチの操作感となるシーソースイッチ用節度機構装置を提供する。【解決手段】アクション板１０に中間位置を初期位置とする３ポジションの係止孔１２，１３を設け、アクション板１０に沿ってスライダをスライドさせ、スライダのアクションボールをアクション板１０の中間係止孔１２とこの中間係止孔１２の両端に位置する端部係止孔１３との間を節度的に係止させるシーソースイッチ用節度機構装置において、端部係止孔１３を中間係止孔１２方向に向かって先細りする長孔状にするものである。【選択図】図３
0003190368.tif 000002
【実用新案登録請求の範囲】
【請求項１】
アクション板に中間位置を初期位置とする３ポジションの係止孔を設け、前記アクション板に沿ってスライダをスライドさせ、前記スライダのアクションボールを前記アクション板の中間係止孔とこの中間係止孔の両端に位置する端部係止孔との間を節度的に係止させるシーソースイッチ用節度機構装置において、前記端部係止孔を前記中間係止孔方向に向かって先細りする長孔状にしたことを特徴とするシーソースイッチ用節度機構装置。
【請求項２】
前記端部係止孔の先細りの部分を湾曲させたことを特徴とする請求項１のシーソースイッチ用節度機構装置。
【考案の詳細な説明】
【技術分野】
【０００１】
この考案は、シーソースイッチ用節度機構装置に関するものである。
【背景技術】
【０００２】
従来におけるこの種のシーソースイッチ用節度機構装置は、アクション板に中間位置を初期位置とする３ポジションの係止孔を設け、前記アクション板に沿ってスライダをスライドさせ、前記スライダのアクションボールを前記アクション板の係止孔に節度的に係止させることによって初期位置を中心としたスイッチ操作をしていた。
【０００３】
【特許文献１】特開２００８−１０９８３１号公報
【考案の開示】
【考案が解決しようとする課題】
【０００４】
しかしながら、かかる従来のシーソースイッチ用節度機構装置にあっては、節度機構を構成するアクション板の両端の係止孔が真円であったため、スライド板が両端の位置から中間位置へ復帰作動する際、アクションボールが係止孔を乗り越えるにあたって前記スライダに急激な作動荷重がかかり勢いがついてそのまま中間位置で止まらず反対側のポジションまで一気に作動してしまうという不都合を有した。
【０００５】
この考案の課題はこの不都合を解消することである。
【課題を解決するための手段】
【０００６】
前記不都合を解消するために、この考案に係るシーソースイッチ用節度機構装置においては、アクション板に中間位置を初期位置とする３ポジションの係止孔を設け、前記アクション板に沿ってスライダをスライドさせ、前記スライダのアクションボールを前記アクション板の中間係止孔とこの中間係止孔の両端に位置する端部係止孔との間を節度的に係止させるシーソースイッチ用節度機構装置において、前記端部係止孔を前記中間係止孔方向に向かって先細りする長孔状にしたものである。
【０００７】
この場合、前記端部係止孔の先細りの部分を湾曲させることができる。
【考案の効果】
【０００８】
この考案に係るシーソースイッチ用節度機構装置は上記のように構成されているため、即ち、アクション板に中間位置を初期位置とする３ポジションの係止孔を設け、前記アクション板に沿ってスライダをスライドさせ、前記スライダのアクションボールを前記アクション板の中間係止孔とこの中間係止孔の両端に位置する端部係止孔との間を節度的に係止させるシーソースイッチ用節度機構装置において、前記端部係止孔を前記中間係止孔方向に向かって先細りする長孔状にしたため、端部係止孔においてアクションボールは適度に保持され、アクションボールが端部係止孔を乗り越える際には前記スライダにかかる作動荷重は滑らかになる。
【０００９】
よって、この考案に係る前記シーソースイッチ用節度機構装置を使用すれば、節度機構は端部係止孔において適度な位置保持力を維持しつつ、スライド板が両端の位置から中間位置へ復帰作動する際、アクションボールが端部係止孔を乗り越えるにあたって前記スライダにかかる作動荷重は滑らかになり、この結果、中間位置で止まりやすいとともに柔らかなタッチの操作感となる。
【００１０】
この場合、前記端部係止孔の先細りの部分を湾曲させれば、微妙な操作荷重―ストローク特性を実現させることができる。
【考案を実施するための最良の形態】
【００１１】
この考案に係るシーソースイッチ用節度機構装置は実施するにあたって下記の構成に最も主要な特徴を有する。
【００１２】
「端部係止孔の先細りする長孔状」とは、所謂、「涙状の型」のことである。
【００１３】
「端部係止孔の先細りの部分を湾曲させる」場合、「先細りの部分」を内側方向に湾曲させることである。
【実施例】
【００１４】
以下、この考案の実施例を図面に基づいて説明する。
【００１５】
図１はこの考案に係るシーソースイッチ用節度機構装置の正面図、図２は同右側面図、図３は同背面図、図４は同底面図、図５はアクション板の斜視図、図６は図１におけるＶI−ＶI線断面の部分図、図７は係止孔の説明図、図８は係止孔の変形図である。
【００１６】
図１〜図４において、Ａはシーソースイッチ、１０はそのアクション板である。１１，１１は支持片であり、前記アクション板１０は両端下部に折り曲げ形成されている。２０は回路基板であり、前記アクション板１０の支持片１１，１１に取り付けられている。この回路基板２０は前記アクション板１０と所定の間隔を介して略平行に位置している。
【００１７】
３０はスライダであり、前記アクション板１０と前記回路基板２０との間に配置されている。そして、シャフト３１によって揺動可能に設置されている。なお、３２はスライダ３０のノブ部である。２１，２１，…は端子であり、前記回路基板２０に設置されている。この端子２１，２１，…はリベットによって形成されている。
【００１８】
図５において、１２は中間係止孔、１３，１３は端部係止孔であり、前記アクション板１０に弧状に形成されている。前記中間係止孔１２は真円であり、前記端部係止孔１３，１３は前記中間係止孔１２方向に向かって先細りする長孔状をしている。前記中間係止孔１２と前記端部係止孔１３，１３との関係は図７に示すとおりである。なお、図８に示すように、前記端部係止孔１３の先細りの部分を内側方向に湾曲１４させることもできる。
【００１９】
図６において、３３は前記スライダ３０に形成されたアクション孔、３４はこのアクション孔３３に挿入されたアクションばね（圧縮コイルばね）である。このアクションばね３４は、前記回路基板２０側においてコンタクト３５を前記端子２１，２１に押圧しているとともに前記アクション板１０においてアクションボール３６を前記中間係止孔１２，１２又は前記端部係止孔１３に押圧し、スライダ３０の揺動を節度式にしている。
【００２０】
前記スライダ３０の節度機構は、前記端部係止孔１３，１３を前記中間係止孔１２方向に向かって先細りする長孔状にしたため、前記端部係止孔１３においてアクションボール３６は適度に保持されるとともに前記アクションボール３６が端部係止孔１３を乗り越える際には前記スライダ３０にかかる作動荷重は滑らかになる。この結果、中間位置で止まりやすいとともに柔らかなタッチの操作感を得ることができる。
【産業上の利用可能性】
【００２１】
この考案に係るシーソースイッチ用節度機構装置は、端部係止孔においてアクションボールは適度に保持され、アクションボールが端部係止孔を乗り越える際には前記スライダにかかる作動荷重は滑らかになる。この結果、中間位置で止まりやすいとともに柔らかなタッチの操作感となる。産業上の利用可能性は高いものである。
【図面の簡単な説明】
【００２２】
【図１】図１はこの考案に係るシーソースイッチ用節度機構装置の正面図である。
【図２】図２は同右側面図である。
【図３】図３は同背面図である。
【図４】図４は同底面図である。
【図５】図５はアクション板の斜視図である。
【図６】図６は図１におけるＶI−ＶI線断面の部分図である。
【図７】図７は係止孔の説明図である。
【図８】図８は係止孔の変形図である。
【符号の説明】
【００２３】
Ａ  …  シーソースイッチ
１０  …  アクション板
１１  …  支持片
１２  …  中間係止孔
１３  …  端部係止孔
１４  …  湾曲
２０  …  回路基板
２１  …  端子
３０  …  スライダ
３１  …  シャフト
３２  …  ノブ部
３３  …  アクション孔
３４  …  アクションばね（圧縮コイルばね）
３５  …  コンタクト
３６  …  アクションボール
【図１】
0003190368.tif 000003
【図２】
0003190368.tif 000004
【図３】
0003190368.tif 000005
【図４】
0003190368.tif 000006
【図５】
0003190368.tif 000007
【図６】
0003190368.tif 000008
【図７】
0003190368.tif 000009
【図８】
0003190368.tif 000010